(57)【特許請求の範囲】
【請求項１】
パチンコ機の内部から外部に排出される遊技球を収容する下受け皿が下方に設けられたパチンコ機において、
前記下受け皿は、
凹形状に形成されており、底部と、この底部の周囲に立ち上がり形成されており、遊技者に近い側において外方に膨出形成された外側立上がり部と、この下受け皿の奥行き方向に形成された側面側立上がり部と、このパチンコ機の前面に近い側に形成された内側立上がり部とを有しており、収容された遊技球を排出する開閉可能な球抜き孔が、前記外側立上がり部と、前記底部とに跨って形成されており、前記側面側立上がり部および前記内側立上がり部が、前記球抜き孔に向けて下り勾配となっており、前記球抜き孔は、この球抜き孔から排出された遊技球が、この下受け皿の下方に置かれた賞球箱の底面の奥行きの中間点または中間点の近傍に落下する位置に形成されていることを特徴とするパチンコ機。
【請求項２】
前記側面側立上がり部と、前記底部とに跨って形成された球抜き孔を有することを特徴とする請求項１に記載のパチンコ機。
【請求項３】
前記球抜き孔は、横長形状に形成されていることを特徴とする請求項１または請求項２に記載のパチンコ機。
【請求項４】
前記球抜き孔を開閉する開閉装置が設けられており、その開閉装置を操作するための操作部材が、前記外側立上がり部の上端に設けられていることを特徴とする請求項１ないし請求項３のいずれか１つに記載のパチンコ機。
【発明の詳細な説明】
【０００１】
【発明の属する技術分野】
この発明は、パチンコ機の内部から外部に排出される遊技球を収容する下受け皿が下方に設けられたパチンコ機に関し、さらに詳細には、収容された遊技球を排出するための開閉可能な球抜き孔を下受け皿に有するパチンコ機に関する。
【０００２】
【従来の技術】
従来、この種のパチンコ機として、たとえば、図８ないし図１０に示すものが知られている。
図８は、従来のパチンコ機を正面から見た説明図である。図９（Ａ）は、図８に示すパチンコ機に設けられた下受け皿を上方から見た説明図であり、図９（Ｂ）は、図９（Ａ）のＡ−Ａ矢視断面図である。図１０（Ａ）は、図８に示すパチンコ機において下受け皿に収容された遊技球を賞球箱へ球抜きしている様子を示す部分説明図であり、図１０（Ｂ）は、図１０（Ａ）において破線で囲んだ部分を拡大して示す説明図である。
【０００３】
図８に示すように、パチンコ機５０には前枠５１が開閉可能に備えられており、その前枠５１には、金枠５２が開閉可能に取付けられている。金枠５２には、ガラス枠５５が開閉可能に取付けられており、ガラス枠５５の内部には、遊技盤５３が設けられている。前枠５１の右下には、遊技球を遊技盤５３へ発射する発射装置ユニット（図示せず）を操作するための発射ハンドル６０が回動可能に取付けられており、遊技盤５３の左方には、発射された遊技球を遊技領域へ案内するガイドレール５４が設けられている。ガラス枠５５の下には、前面パネル５６が設けられており、この前面パネル５６の左側上部には、賞球および貸球が供給される賞球・貸球供給口５７が形成されている。賞球・貸球供給口５７の排出側には、その賞球・貸球供給口５７から排出された賞球や貸球を収容しておくための上受け皿５８が取り付けられている。
【０００４】
上受け皿５８の下方には、排出口６１が形成されている。排出口６１は、上受け皿５８の収容可能球数を超えて奥のオーバーフロー樋（図示せず）を経由して流下した賞球、発射装置ユニットによって発射されたが遊技盤５３まで届かずに戻ってきたファール球、上受け皿５８に設けられた上受け皿球抜きレバー５９の操作により上受け皿５８から排出された遊技球などを排出する。排出口６１の排出側には、その排出口６１から排出された遊技球を収容しておくための下受け皿４０が設けられている。
【０００５】
図９（Ａ）および図９（Ｂ）に示すように、下受け皿４０は、ほぼ平面状の底部４１と、この底部４１の周囲に立上がり形成された湾曲形状の立上がり部４２と、底部４１の中央において上下方向に貫通形成された球抜き孔４３とから構成されている。図９（Ｂ）に示すように、球抜き孔４３と、下受け皿４０の下方に置かれた賞球箱３０との位置関係は、球抜き孔４３が賞球箱３０の底面３２の奥行きＬ１の中間点Ｂ１よりもパチンコ機５０の前面Ｆ１に近い関係となっている。
【０００６】
立上がり部４２のうち、遊技者の前面と対向する外面４２ａには、球抜き孔４３を開閉する開閉装置（図示せず）を操作して下受け皿４０に収容された遊技球を賞球箱３０へ抜くための下受け皿球抜きレバー４４が横方向にスライド可能に取付けられている。
そして、下受け皿４０に遊技球が収容されているときに、下受け皿球抜きレバー４４を操作して球抜き孔４３を開口すると、図１０に示すように、下受け皿４０に収容されている遊技球Ｐは球抜き孔４３から賞球箱３０に排出される。
【０００７】
【発明が解決しようとする課題】
ところで、下受け皿４０の容積が小さいと、下受け皿４０が遊技球Ｐですぐに一杯になってしまうため、下受け皿球抜きレバー４４を頻繁に操作しなければならないので、遊技者が遊技に集中し難くなってしまう。
そこで、下受け皿４０の容積を大きくしようとすると、パチンコ機５０の幅に制約があるため、下受け皿４０を幅方向に大きくするには限界があるので、下受け皿４０を遊技者側に大きく張り出すように形成することが考えられる。
しかし、下受け皿４０をあまり大きく張り出すと、図９（Ｂ）に示すように、下受け皿４０によって賞球箱３０の上面３１が隠れてしまうため、賞球箱３０の内部の様子が見難くなるとともに、遊技者が賞球箱３０の中に手を入れるスペースがなくなるという問題が発生する。また、下受け皿４０の張り出し量に対応して賞球箱３０を置く位置を遊技者側にずらすことも考えられるが、賞球箱３０が遊技者に支えてしまうため、遊技し難いという問題がある。また、遊技位置が後方にずれると、島間の通路が狭くなってしまうという問題もある。
以上の経緯から、現在、下受け皿４０は、図９および図１０に示す形態となっている。
【０００８】
しかし、前述のように、球抜き孔４３は、下受け皿４０の底部４１の中央（前面Ｆ１に近い箇所）に形成されているため（図９（Ｂ））、図１０（Ａ）に示すように、収容されている遊技球Ｐを球抜き孔４３から排出すると、賞球箱３０の遊技者から見えない奥（前面Ｆ１に近い箇所）の方に偏って片斜面状に蓄積されてしまうので、すぐに賞球箱３０から溢れ出てしまうという問題がある。また、溢れるのを防止するために遊技球Ｐを頻繁に手で均さなければならないため、遊技に集中し難いという問題もある。さらに、遊技球Ｐを手で触れるたびに遊技球Ｐに帯電した静電気が伝わるため、遊技者に不快感を与えるという問題もある。特に、大当たりが発生した場合は、一度にたくさんの賞球が排出されるため、上記諸問題が顕著となる。
また、遊技者の視線は、遊技盤５３に集中しているため、立上がり部４２のうち、遊技者と対向する外面４２ａに設けられた下受け皿球抜きレバー４４が、遊技者の視界に入り難いので、下受け皿球抜きレバー４４の操作性が悪いという問題もある。
【０００９】
そこでこの発明は、上記諸問題を解決するために考えられたものであり、下受け皿の球抜き孔から排出する遊技球が賞球箱のパチンコ機の前面に近い箇所に偏って蓄積しないようにすることができるパチンコ機を実現することを第１の目的とし、球抜き孔を開閉する開閉装置を操作するための操作部材の操作性を向上させることができるパチンコ機を実現することを第２の目的とする。
【００１０】
【課題を解決するための手段、作用および効果】
この発明は、上記目的を達成するため、請求項１ないし請求項４に記載の発明では、パチンコ機の内部から外部に排出される遊技球を収容する下受け皿が下方に設けられたパチンコ機において、前記下受け皿は、凹形状に形成されており、底部と、この底部の周囲に立ち上がり形成されており、遊技者に近い側において外方に膨出形成された外側立上がり部と、この下受け皿の奥行き方向に形成された側面側立上がり部と、このパチンコ機の前面に近い側に形成された内側立上がり部とを有しており、収容された遊技球を排出する開閉可能な球抜き孔が、前記外側立上がり部と、前記底部とに跨って形成されており、前記側面側立上がり部および前記内側立上がり部が、前記球抜き孔に向けて下り勾配となっており、前記球抜き孔は、この球抜き孔から排出された遊技球が、この下受け皿の下方に置かれた賞球箱の底面の奥行きの中間点または中間点の近傍に落下する位置に形成されているという技術的手段を用いる。
【００１１】
従来のように、下受け皿に形成された球抜き孔がパチンコ機の前面に近い位置に形成されているパチンコ機にあっては、下受け皿に収容されている遊技球は、賞球箱のパチンコ機の前面に近い位置に落下するが、請求項１ないし請求項４に記載の発明では、球抜き孔が、下受け皿の立上がり部のうち、このパチンコ機によって遊技を行う遊技者側に形成された外側立上がり部と、底部とに跨って形成されており、球抜き孔から排出された遊技球を、この下受け皿の下方に置かれた賞球箱の底面の奥行きの中間点または中間点の近傍に落下する位置に形成されているため、下受け皿に収容されている遊技球は、パチンコ機の前面から遠い位置、すなわち遊技者側に落下する。
【００１２】
つまり、下受け皿に収容されている遊技球を下受け皿の下方に置かれた賞球箱の底面の奥行きの中間点、あるいは、中間点の近傍に落下させることができるため、下受け皿の球抜き孔から排出する遊技球を賞球箱のパチンコ機の前面に近い箇所に偏らないように、賞球箱の中央または中央近傍になだらかな山状に蓄積させることができる。
したがって、球抜き孔から排出される遊技球が賞球箱の遊技者から見えない奥の方に偏って片斜面状に蓄積されてしまうことがないため、遊技球がすぐに賞球箱から溢れ出てしまうことがない。また、溢れるのを防止するために遊技球を頻繁に手で均す必要もないため、遊技に集中し易い。さらに、遊技球を手で触れて遊技球に帯電した静電気が伝わる回数が減少するため、遊技者に与える不快感を軽減することもできる。特に、大当たりが発生した場合は、一度にたくさんの賞球が排出されるため、上記各効果が顕著となる。
【００１３】
請求項２に記載の発明では、請求項１に記載のパチンコ機において、前記側面側立上がり部と、前記底部とに跨って形成された球抜き孔を有するという技術的手段を用いる。
【００１４】
つまり、下受け皿の立上がり部のうち、下受け皿の奥行き方向に形成された側面側立上がり部と、底部とに跨って形成された球抜き孔を有することにより、遊技球を賞球箱の複数箇所に落下させることができるため、遊技球をより一層平らに蓄積させることができる。
【００１５】
請求項３に記載の発明では、請求項１または請求項２に記載のパチンコ機において、前記球抜き孔は、横長形状に形成されているという技術的手段を用いる。
【００１６】
つまり、球抜き孔が円形の場合は、球抜き孔から排出される遊技球が賞球箱の一箇所に集中して落下し易いため、遊技球が賞球箱の一箇所に偏って蓄積されてしまうが、球抜き孔を長孔形状に形成することにより、遊技球の落下位置をばらつかせることができるため、賞球箱に蓄積される遊技球の偏りを少なくすることができる。
【００１７】
請求項４に記載の発明では、請求項１ないし請求項３のいずれか１つに記載のパチンコ機において、前記球抜き孔を開閉する開閉装置が設けられており、その開閉装置を操作するための操作部材が、前記外側立上がり部の上端に設けられているという技術的手段を用いる。
【００１８】
つまり、従来のように、上記操作部材が、立上がり部のうち遊技者の前面と対向する外面に設けられている場合は、遊技者の視界に入り難く操作性が悪かったが、操作部材を外側立上がり部の上端に設けることにより、遊技者の視界に入り易くすることができるため、操作部材の操作性を向上させることができる。
【００１９】
【発明の実施の形態】
［第１実施形態］
以下、この発明に係るパチンコ機の第１実施形態について図を参照して説明する。
図１は、この実施形態に係るパチンコ機の外観を上半分を省略して示す斜視説明図である。図２は、図１に示すパチンコ機に設けられた下受け皿を上方から見た説明図であり、図３は、図２に示す下受け皿を正面から見た説明図である。図４は、球抜き孔が閉塞しているときの開閉装置の状態を示す説明図であり、図５は、球抜き孔が開口しているときの開閉装置の状態を示す説明図である。図６（Ａ）は、図１に示すパチンコ機において下受け皿に収容された遊技球を賞球箱へ球抜きしている様子を示す部分説明図であり、図６（Ｂ）は、図６（Ａ）において破線で囲んだ部分を拡大して示す説明図である。
なお、以下の説明では、パチンコ機１の前面Ｆ１から遠ざかる方、つまり遊技者に近づく方を外側とし、前面Ｆ１に近づく方を内側とする。
【００２０】
パチンコ機１には、上受け皿パネル３が前枠５に開閉可能に取付けられており、上受け皿パネル３には、賞球・貸球供給口２から供給される賞球や貸球を収容する上受け皿３ａが形成されている。上受け皿３の下方には、排出口４が形成されており、排出口４の排出側には、その排出口４から排出された遊技球を収容する下受け皿１０が設けられている。下受け皿１０は、外側に形成された前面パネル部１０ａおよび内側に形成された凹部１０ｂによって二重構造に構成される。上受け皿パネル３の右側上部には、上受け皿３ａに収容されている遊技球を下受け皿１０へ抜くための上受け皿球抜きレバー３ｂがスライド可能に設けられている。
【００２１】
図２に示すように、凹部１０ｂは、凹形状に形成されており、ほぼ平面状の底部１１と、この底部１１の周囲に立上がり形成された立上がり部１２とを有する。立上がり部１２は、遊技者に近い側において外方に膨出形成された外側立上がり部１２ａと、下受け皿１０の奥行き方向に形成された側面側立上がり部１２ｂ，１２ｂと、パチンコ機１の前面Ｆ１に近い側に形成された内側立上がり部１２ｃとを有する。
また、底部１１と、外側立上がり部１２ａとに跨って球抜き孔１３が開閉可能に貫通形成されている。球抜き孔１３は、その長軸が前面Ｆ１に対向した横長形状に形成されている。側面側立上がり部１２ｂおよび内側立上がり部１２ｃは、球抜き孔１３に向けて下り勾配となっており、排出口４から排出された遊技球が球抜き孔１３に向かって転がるようになっている。
【００２２】
図４に示すように、前面パネル部１０ａと凹部１０ｂとの間に形成された空間には、球抜き孔１３を開閉する開閉装置２０が装着されている。開閉装置２０は、球抜き孔１３を閉塞し、あるいは開口する開閉板２１と、外側立上がり部１２ａの上端１２ａ１に設けられた下受け皿球抜きレバー２２と、この下受け皿球抜きレバー２２と開閉板２１とを連結する連結部材２３と、この連結部材２３に一端が取付けられたコイルバネ２４とを備える。コイルバネ２４の他端は、上記空間の内部に固定されている。また、下受け皿球抜きレバー２２は、外側立上がり部１２ａの上端１２ａ１に沿って横方向にスライドできるように構成されている。
【００２３】
次に、下受け皿１０に収容されている遊技球Ｐを賞球箱３０に抜く際の説明をする。
図４に示すように、開閉板２１が球抜き孔１３を閉塞している状態において、下受け皿球抜きレバー２２をコイルバネ２４の復元力に抗して図面左方向へスライドさせると、図５に示すように、開閉板２１によって閉塞されていた球抜き孔１３が開口する。
そして、図６（Ｂ）に示すように、下受け皿１０に収容されている遊技球Ｐが球抜き孔１３から賞球箱３０内に排出される。このとき、球抜き孔１３は、下受け皿１０の底部１１と、外側立上がり部１２ａとに跨って形成されているため、遊技球Ｐを賞球箱３０の中間点Ｂ１、または、中間点Ｂ１の近傍に落下させることができる。
【００２４】
つまり、図６（Ａ）に示すように、下受け皿１０から抜いた遊技球Ｐを賞球箱３０の中央、または、中央近傍になだらかな山状に蓄積させることができる。
したがって、遊技球Ｐが賞球箱３０の遊技者から見えない奥の方に偏って片斜面状に蓄積されてしまうことがないため、遊技球Ｐがすぐに賞球箱３０から溢れ出てしまうことがない。また、溢れるのを防止するために遊技球Ｐを頻繁に手で均す必要もないため、遊技に集中し易い。さらに、遊技球Ｐを手で触れて遊技球Ｐに帯電した静電気が伝わる回数が減少するため、遊技者に与える不快感を軽減することもできる。特に、大当たりが発生した場合は、一度にたくさんの賞球が排出されるため、上記各効果が顕著となる。
【００２５】
さらに、下受け皿球抜きレバー２２が外側立上がり部１２ａの上端１２ａ１に設けられているため、遊技者から見易いので操作性を向上させることができる。しかも、下受け皿球抜きレバー２２は、下受け皿１０に左手の親指以外の４本の指を乗せた状態で左手の親指が容易に届く箇所に設けられているため操作性をより一層向上させることができる。
なお、下受け皿球抜きレバー２２から指を離すと、下受け皿球抜きレバー２２はコイルバネ２４の復元力によってスライド前の位置に自動的に復帰する。また、下受け皿球抜きレバー２２をスライドさせる量を調節し、球抜き孔１３の開口量を調節することにより、単位時間当たりの遊技球の排出量を調節できることは勿論である。
【００２６】
［第２実施形態］
次に、この発明の第２実施形態に係るパチンコ機について図７を参照して説明する。図７は、この第２実施形態に係るパチンコ機に設けられた下受け皿を上方から見た説明図である。
なお、下受け皿の構造以外は、第１実施形態と同じであるため、その同じ部分の説明を省略する。
このパチンコ機に備えられた下受け皿１０は、球抜き孔１３の他に、底部１１と、下受け皿１０の奥行き方向に形成された側面側立上がり部１２ｂ，１２ｂとにそれぞれ跨って形成された球抜き孔１４，１５を有する。球抜き孔１４，１５は、それぞれ開閉板２１ａ、２１ｂによって開閉可能となっている。開閉板２１ａ、２１ｂは、図示しない開閉装置に連結されており、下受け皿球抜きレバー２２を図面左方向にスライドさせると、球抜き孔１３，１４，１５が開口し、下受け皿球抜きレバー２２をスライド前の位置に戻すと、球抜き孔１３，１４，１５が閉塞される。
【００２７】
以上のように、下受け皿１０に収容された遊技球Ｐを球抜き孔１３の他に、球抜き孔１３から幅方向にずれて、やや奥行き方向に離れた位置の複数箇所に落下させることができるため、遊技球Ｐを賞球箱３０により一層平らに蓄積させることができる。
なお、球抜き孔１４，１５は、一方のみでもよいし、さらに他の箇所に増設することもできる。
ところで、下受け皿球抜きレバー２２が、請求項４に記載の操作部材に対応する。
【図面の簡単な説明】
【図１】この発明の実施形態に係るパチンコ機の外観を一部を省略して示す斜視説明図である。
【図２】図１に示すパチンコ機に設けられた下受け皿を上方から見た説明図である。
【図３】図２に示す下受け皿を正面から見た説明図である。
【図４】球抜き孔が閉塞しているときの下受け皿球抜きレバーの状態を示す説明図である。
【図５】球抜き孔が開口しているときの下受け皿球抜きレバーの状態を示す説明図である。
【図６】図６（Ａ）は、図１に示すパチンコ機において下受け皿に収容された遊技球を賞球箱へ球抜きしている様子を示す部分説明図であり、図６（Ｂ）は、図６（Ａ）において破線で囲んだ部分を拡大して示す説明図である。
【図７】第２実施形態のパチンコ機に設けられた下受け皿を上方から見た説明図である。
【図８】従来のパチンコ機を正面から見た説明図である。
【図９】図９（Ａ）は、図８に示すパチンコ機に設けられた下受け皿を上方から見た説明図であり、図９（Ｂ）は、図９（Ａ）のＡ−Ａ矢視断面図である。
【図１０】図１０（Ａ）は、図８に示すパチンコ機において下受け皿に収容された遊技球を賞球箱へ球抜きしている様子を示す部分説明図であり、図１０（Ｂ）は、図１０（Ａ）において破線で示す部分を拡大して示す説明図である。
【符号の説明】
１    パチンコ機
１０    下受け皿
１１    底部
１２    立上がり部
１２ａ  外側立上がり部
１２ｂ  側面側立上がり部
１３    球抜き孔
２１    開閉板
２２    下受け皿球抜きレバー（操作部材）
２０    開閉装置
３０    賞球箱
【図１】
0003552968.tif 000002
【図２】
0003552968.tif 000003
【図３】
0003552968.tif 000004
【図４】
0003552968.tif 000005
【図５】
0003552968.tif 000006
【図６】
0003552968.tif 000007
【図７】
0003552968.tif 000008
【図８】
0003552968.tif 000009
【図９】
0003552968.tif 000010
【図１０】
0003552968.tif 000011